(57)【特許請求の範囲】
【請求項１】
記録材に形成された画像を該記録材に定着する定着ヒーターを備えた画像形成装置において、
商用電源からの交流電圧のゼロクロス信号を生成するゼロクロス信号生成手段と、
前記ゼロクロス信号に同期して前記定着ヒーターに供給する電力を制御する制御手段と、
前記制御手段から送信される画像形成に関する情報を記憶する記憶手段と、
前記商用電源からの前記交流電圧を直流電圧に変換して、変換した前記直流電圧を前記制御手段と前記記憶手段に供給する電源部と、
前記商用電源からの前記電源部への電力供給をオンオフする電源スイッチと、
前記ゼロクロス信号生成手段によって生成された前記ゼロクロス信号の状態に基づき、前記電源スイッチがオフされたか否かを判断する判断手段と、
前記判断手段により前記電源スイッチが切断されたことを判断したときに前記記憶手段に情報を書きこむ書き込み手段と、を備え、
前記判断手段は、前記ゼロクロス信号が第１レベルの状態で予め定められた第１時間継続したかどうかを判断し、前記第１レベルの状態が前記第１時間継続されない場合に前記電源スイッチがオフされたと判断し、前記第１レベルの状態を前記第１時間以上継続したと判断した場合は、前記第１レベルとは異なる第２レベルの状態で予め定められた第２時間継続したかどうかを判断し、前記第２レベルの状態が前記第２時間継続されない場合に、前記電源スイッチがオフされたと判断する
ことを特徴とする画像形成装置。
【請求項２】
前記ゼロクロス信号生成手段は、前記商用電源からの前記交流電圧の正電圧が予め定められた閾値を超えたタイミングで、前記ゼロクロス信号を前記第１レベルに切り換え、前記交流電圧の負電圧が予め定められた閾値を超えたタイミングで前記ゼロクロス信号を前記第１レベルから前記第２レベルに切り換えることを特徴とする請求項１に記載の画像形成装置。
【請求項３】
前記電源部は、コンデンサを備え、前記判断手段によって前記電源スイッチがオフされたと判断された後に、前記コンデンサの充電された電荷によって前記記憶手段に対する前記情報の書き込みのための電力を維持することを特徴とする請求項１または請求項２に記載の画像形成装置。
【発明の詳細な説明】
【０００１】
【発明の属する技術分野】
本発明は、電子写真プロセスを用いた画像形成装置の状態を電源を停止する前に保存し、再起動後に保存状態を読み出して画像形成に最適な処理を施す画像形成装置に関するものである。
【０００２】
【従来の技術】
図９は、この種の画像形成装置の一例を示す構成模式図であり、例えばレーザビームプリンタの場合を示す。図において、１００はコントローラ部で、図示しないホストコンピュータにインターフェース１０１を介して接続されたビデオコントローラ１０３と、操作パネル１０４を有する。
【０００３】
１０２は装置本体部としてのエンジン部であり、このエンジン部１０２の各要素の制御を行うとともに、コントローラ部１００とのビデオ信号のやり取りを行うエンジンコントローラ１０５を有する。また、レーザドライバ１０６、レーザダイオード１０７、ポリゴンミラー１０８、ミラー１０９の光学系により、レーザ光１１０を感光ドラム１１２上の照射する。
【０００４】
この感光ドラム１１２の周囲には、一次帯電器１１１、現像器１１３、転写帯電器１１４、クリーニング器１１５が配置されている。そして、給紙カセット１２０から給紙ローラ１２１により送り出された記録媒体としての記録紙、転写紙等のシート材は感光ドラム１１２と転写帯電器１１４の間を通過して定着器１１６に至る。この定着器１１６は内部にヒーター（熱源）１１９を有する定着ローラ１１７と該定着ローラに圧接された加圧ローラ１１８を有する。
【０００５】
図１０はコントローラ部１００を含むエンジン部１０２全体の電気回路のブロック図を示すものであり、コントローラ部１００のビデオコントローラ１０３はＣＰＵ１０３ａ、ＲＡＭ１０３ｂ、ＲＯＭ１０３ｃ、バッファ１０３ｄ、不揮発性記憶媒体１０３ｆ（ＥＥＰＲＯＭ）を有し、ビデオインターフェース回路（ビデオＩ／Ｆ回路）２１を介してエンジンコントローラ１０５に接続されている。
【０００６】
エンジンコントローラ１０５はＣＰＵ１０５ａ、ＲＡＭ１０５ｂ、ＲＯＭ１０５ｃ、不揮発性記憶媒体１０５ｄ（ＥＥＰＲＯＭ）を有し、電源スイッチ（ＳＷ）１，ノイズフイルタ２を介して商用電源に接続されたフューザー制御回路３および低電圧電源ユニット４、温度センサ５、ファン６を駆動するファンモータドライバ７、受光素子８を制御するビデオ（ＢＤ）回路９、高圧電源１０、ヒータアップソレノイド２２、レーザダイオード１０７を駆動するレーザドライバ１０６、スキャナモータ１１を駆動するスキャナモータドライバ１２，メインモータ１３を駆動するメインモータドライバ１４、ゼロクロス検知回路２３等が接続されている他、紙サイズセンサ１５、紙有無センサ１６、ドアセンサ１７、給紙センサ１８、排紙センサ１９、カートリッジセンサ２０等の各種センサが接続されている。また、上記低電圧電源ユニット４はビデオコントローラ１０３にも接続されている。
【０００７】
次に動作について説明する。
【０００８】
図示しないホストコンピュータからインターフェース１０１を介して入力されたコードデータである電気信号を、ビデオコントローラ１０３でドットイメージに展開し、ビデオコントローラ１０３の内部のメモリに格納した後、エンジン部１０２にビデオ信号として返送する。エンジン部１０２の各要素は、エンジンコントローラ１０５により制御され、コントローラ部１００とのビデオ信号のやり取りもビデオインタフェース回路２１を介してエンジンコントローラ１０５で行われる。エンジンコントローラ１０５に入力されたビデオ信号は、レーザードライバ１０６に送出され、ここでレーザダイオード１０７のＯＮ／ＯＦＦが制御される。
【０００９】
このレーザダイオード１０７から出射されたレーザー光１１０はポリゴンミラー１０８により偏向されて感光ドラム１１２の長手方向の走査光となり、ミラー１０９を介して感光ドラム１１２上に投影される。感光ドラム１１２は、矢印方向に回転し、一次帯電器１１１により一時帯電された後、レーザ光のＯＮ／ＯＦＦに応じた露光を受け、感光ドラム表面に静電潜像が形成される。
【００１０】
そして、現像器１１３により着色荷電粒子（以後、トナーと称する）が付与され、顕像が得られた後、給紙カセット１２０から給紙ローラ１２１によって一枚づつ取り出されたシート材に、転写帯電器１１４により上記顕像が転写される。転写残りトナーは、感光ドラム１１２の表面よりクリーニング器１１５により払い拭われ、感光ドラム１１２は次の画像形成工程に備える。
【００１１】
一方、トナー像が載ったシート材は、定着器１１６に挿通され、永久定着像が得られた後、最終プリントとして図中矢印方向に従って機外に排出される。なお、図中の矢印は、給紙カセット１２０から取り出されて搬送されるシート材の給送軌跡を示す。
【００１２】
定着器１１６は中空の定着ローラ１１７にヒーター（定着ヒーター）１１９を有しており、このヒーター１１９に通電することで定着ローラ１１７が加熱され、定着ローラ１１７の表面温度を検知する後記の温度センサ５の出力は、温度コントローラとしての後記のＣＰＵ１０５ａに入力され、ヒーター１１９に流れる電流をＯＮ／ＯＦＦ制御して、所定の表面温度に維持させる。加圧ローラ１１８は付勢手段（図示しない）により定着ローラ１１７に押圧され、シート材に載った状態のトナーは定着ローラ１１７と加圧ローラ１１８とが形成するニップ内でシート材とともに加熱、加圧され永久定着される。
【００１３】
図１１は、定着器１１６の制御部の回路図である。図１２は、図１１に示すフューザー制御部（フューザー制御回路）３によりヒーター１１９に通電する電流を制御したときの商用電源の電圧とゼロクロス信号とヒーター１１９の通電電流との関係を示すためのタイミング図である。
【００１４】
ヒーター１１９の温度を所望の定着温度に制御するために、温度センサ５により定着ヒーター１１９の温度を検出し、ＣＰＵ１０５ａに入力する。ＣＰＵ１０５ａは入力された温度検出信号と内蔵されている温度制御プログラムに基づいてフューザー制御信号を発生し、ヒーター１１９に流れる電流を制御する。ヒーター１１９に通電する電流は商用電源から供給され、フューザー制御回路（制御回路）３のトライアックＴにより通電と非通電、つまりＯＮ／ＯＦＦを制御する。
【００１５】
ゼロクロス検知回路２３は、商用電源Ｐのゼロクロス検知範囲の電圧(商用電源Ｐの電圧におけるゼロクロス電圧付近の電圧）でゼロクロス信号(パルス信号）がＬｏｗレベルになるようにゼロクロス信号を発生し、このゼロクロス信号をＣＰＵ１０５ａに入力する。ＣＰＵ１０５ａのプログラムは、ゼロクロス信号がＬｏｗレベルに変化してからヒーター制御信号をＨｉｇｈレベルにするまでの時間ｔの経過を制御する。ヒーターに通電する電流を増やす場合は、ゼロクロス信号がＬｏｗレベルに変化してからヒーター制御信号をＨｉｇｈにするまでの時間ｔを短くし、ヒーターに通電する電流を少なくする場合には、ゼロクロス信号がＬｏｗレベルに変化してからヒーター制御信号をＨｉｇｈにするまでの時間ｔを長くし、次のゼロクロス信号の直前にヒーター制御信号をＨｉｇｈレベルにする。
【００１６】
トライアックＴは、ヒーター制御信号をＨｉｇｈにしてから電流を流し始めて商用電源の電圧が０Ｖになったときに通電を停止する。商用電源のゼロクロスに同期して一半波中でヒーターに流れる電流を加減して制御する。
【００１７】
【発明が解決しようとする課題】
従来の画像形成装置は以上のように構成されているので、電源スイッチを使用者が切断したことを検知して装置の状態を不揮発性記憶媒体（ＥＥＰＲＯＭ）に記憶する為には、電源スイッチを使用者が切断したことを検知するために、電源スイッチに連動した検知機構（リレー回路）を設ける必要が有り、回路構成が複雑になり、電源スイッチのコストも高くなってしまうという課題があった。
【００１８】
本発明は上記のような課題を解消するためになされたもので、ヒーターの制御のために元々必要なゼロクロス信号を利用することにより、電源スイッチに連動した検知機構（リレー回路）を設けることなく、簡単な回路構成により、再起動後に保存状態を読み出して画像形成に最適な処理を施すことができる画像形成装置を得ることを目的とする。
【００１９】
【課題を解決するための手段】
本発明は下記の構成を有することを特徴とする画像形成装置である。
【００２１】
上記目的を達成するための本発明に係る画像形成装置の構成は、
記録材に形成された画像を該記録材に定着する定着ヒーターを備えた画像形成装置において、
商用電源からの交流電圧のゼロクロス信号を生成するゼロクロス信号生成手段と、
前記ゼロクロス信号に同期して前記定着ヒーターに供給する電力を制御する制御手段と、
前記制御手段から送信される画像形成に関する情報を記憶する記憶手段と、
前記商用電源からの前記交流電圧を直流電圧に変換して、変換した前記直流電圧を前記制御手段と前記記憶手段に供給する電源部と、
前記商用電源からの前記電源部への電力供給をオンオフする電源スイッチと、
前記ゼロクロス信号生成手段によって生成された前記ゼロクロス信号の状態に基づき、前記電源スイッチがオフされたか否かを判断する判断手段と、
前記判断手段により前記電源スイッチが切断されたことを判断したときに前記記憶手段に情報を書きこむ書き込み手段と、を備え、
前記判断手段は、前記ゼロクロス信号が第１レベルの状態で予め定められた第１時間継続したかどうかを判断し、前記第１レベルの状態が前記第１時間継続されない場合に前記電源スイッチがオフされたと判断し、前記第１レベルの状態を前記第１時間以上継続したと判断した場合は、前記第１レベルとは異なる第２レベルの状態で予め定められた第２時間継続したかどうかを判断し、前記第２レベルの状態が前記第２時間継続されない場合に、前記電源スイッチがオフされたと判断する
ことを特徴とする。
【００２５】
【発明の実施の形態】
［実施例１］
図１は、本実施例の画像形成装置の商用電源Ｐの電圧波形５１、ゼロクロス信号５２、ヒーター制御信号５３、ヒーターの電流波形５４、ＤＣ電源電圧波形５５の関係を表わす図である。
【００２６】
図２は、商用電源Ｐ、電源スイッチ１、ノイズフィルタ２、低電圧電源ユニット４、フューザ制御回路３、ヒーター１１９、ゼロクロス検知回路２３、ＣＰＵ１０５ａ、不揮発記憶媒体１０５ｄの接続関係を示した回路図である。図２に示すように、低電圧電源ユニット（電源ユニット）４は全波整流器４ａ、第１の平滑コンデンサ４ｂ、メイン・スイッチング制御回路４ｃ、トランス４ｄ、第２の平滑コンデンサ４ｅを有する。ＣＰＵ１０５ａはゼロクロス信号(パルス信号）５２の状態により電源スイッチ１が切断されたか否かを判断する判断手段、および不揮発性記憶媒体（記憶媒体（ＥＥＰＲＯＭ））に情報を書き込む書き込み手段としても機能する。
【００２７】
図３は、電源ＯＦＦシーケンスを示す流れ図である。
【００２８】
この電源ＯＦＦ検知シーケンスは、エンジンコントローラ１０５を制御するＣＰＵ１０５ａのプログラム中で常に動作して、ゼロクロス信号５２の状態を検知する。電源が投入されると、ゼロクロス電圧５２のＨｉｇｈ時間を読み出す（ステップＳＴ１）。この時間は、商用電源Ｐの周波数とゼロクロス検知電圧レベルにより定まっている時間である。ゼロクロス信号５２の状態を検知し、Ｌｏｗレベルになるまで検知を続ける（ステップＳＴ２）。Ｌｏｗレベルになったことを検知したら、次にＨｉｇｈレベルになったかどうかを検知し続ける（ステップＳＴ３）。
【００２９】
ゼロクロス信号５２が、ＬｏｗレベルからＨｉｇｈレベルになったら、タイマーをスタートさせる（ステップＳＴ４）。タイマーをスタートしたら、ゼロクロス信号５２がＨｉｇｈレベルで有ることを確認して電源が切断されていないことを判断する（ステップＳＴ５）。Ｈｉｇｈレベルで有れば、タイマーの値とゼロクロス信号５２のＨｉｇｈ時間を比較する（ステップＳＴ６）。Ｌｏｗレベルで有れば、電源スイッチ１が切断され、ゼロクロス信号５２がＬｏｗレベルになっていると判断してパワーオフ処理を行い（ステップＳＴ７）、ＥＥＰＲＯＭ１５ｄにエンジン情報を書き込み（ステップＳＴ８）、動作を終了する。このタイミングで電源スイッチ１が切断されたときのタイミング図は、図１に示す状態になる。
【００３０】
ステップＳＴ６において、タイマーの値がゼロクロス信号５２のＨｉｇｈ時間以下の場合には、ステップＳＴ５に戻ってゼロクロス信号５２の状態がＨｉｇｈレベルで有るかを検知し、タイマーの値がゼロクロス信号５２のＨｉｇｈ時間よりも大きくなった場合には、ゼロクロス信号５２のＬｏｗ時間を読み出してタイマーをリセットし再スタートする（ステップＳＴ９）。ゼロクロス信号５２は、商用電源電圧が０ＶになるためＬｏｗレベルになる。
【００３１】
タイマーの値とゼロクロス信号５２のＬｏｗ時間を比較し（ステップＳＴ１０）、タイマーの値がゼロクロスＬｏｗ時間を越えたら、ゼロクロス信号５２の状態がＬｏｗレベルかＨｉｇｈレベルかを判断する（ステップＳＴ１１）。電源スイッチ１が切断されておらず、商用電源Ｐが通電されていれば、商用電源Ｐの電圧レベルが上昇するに従ってゼロクロス検知電圧を越えているので、ゼロクロス信号５２は再びＨｉｇｈレベルになっている。
【００３２】
Ｈｉｇｈレベルで有れば、再びゼロクロス信号５２のＨｉｇｈ時間を読みだし（ステップＳＴ１２）、タイマーをスタートしてゼロクロス信号５２がＨｉｇｈレベルで有ることを検知するルーチンを繰り返す。
【００３３】
上記ステップＳＴ１１の検知結果がＬｏｗレベルで有れば、電源スイッチ１が切断され、ゼロクロス信号５２がＬｏｗレベルになっていると判断してパワーオフ処理を行い（ステップＳＴ７）、ＥＥＰＲＯＭ１０５ｄにエンジン情報を書き込む（ステップＳＴ８）。電源スイッチ１が切断されたときのゼロクロス信号５２のＬｏｗレベルのタイミングは図４に示される状態になる。
【００３４】
低電圧電源ユニット４は、商用電源Ｐから給電を受けて商用電源Ｐよりも電圧の低いＤＣ電源電圧５５（図１）を出力する。商用電源Ｐが切断されてからは、低電圧電源ユニット４に内蔵されている第１の平滑コンデンサ４ｂ及び第２の平滑コンデンサ４ｅに蓄えられた電荷によりＣＰＵ１０５ａ及び、ＥＥＰＲＯＭ１０５ｄに供給するＤＣ電源電圧が保持される。つまり、低電圧電源ユニット４は、第１の平滑コンデンサ４ｂと第２の平滑コンデンサ４ｅの充電電荷（コンデンサの充電電荷）をＥＥＰＲＯＭ１０５ｄに対する情報書き込みのための電源としている。この第１の平滑コンデンサ４ｂ及び第２の平滑コンデンサ４ｅの電荷が無くなると、ＤＣ電源電圧５５は下降して０Ｖレベルになる。
【００３５】
この第１の平滑コンデンサ４ｂ及び第２の平滑コンデンサ４ｅの容量は、商用電源Ｐの瞬時停電や変動により画像形成装置の動作を正常に保つために必要な容量を持っているので、電源スイッチ１の切断を検知してからパワーオフ処理により、モーター等を停止してＤＣ電源の消費電流を低減する。従って、ＤＣ電源電圧は、ＥＥＰＲＯＭ１０５ｄを書きこむための時間を保持できる。
【００３６】
［参考例］
図５は、本参考例の画像形成装置の商用電源Ｐの電圧波形５１、ゼロクロス信号５２、ヒーター制御信号５３、ヒーターの電流波形５４の関係を表わす図である。図５において、ゼロクロス信号５２は、商用電源Ｐの上側半波のゼロクロス検知電圧より大きくなったときにＨｉｇｈのレベルになり、商用電源Ｐの電圧がそのゼロクロス検知電圧以外の電圧レベルではＬｏｗレベルになるようにゼロクロス検知回路２３から出力され、ＣＰＵ１０５ａに入力する。つまり、ゼロクロス検知回路２３は、商用電源Ｐから出力されるサイン波の電圧の半波に同期してゼロクロス信号（パルス信号）を発生し、そのゼロクロス信号をＣＰＵ１０５ａに入力する。
【００３７】
ＣＰＵ１０５ａのヒーターの温度制御プログラムは、フューザー制御回路３に対してヒーター制御信号５３を出力する。ヒーター制御信号５３は、ゼロクロス信号５２が、ＬｏｗレベルからＨｉｇｈレベルに変化したタイミングに同期して出力する。ヒーターに流す電流を増やすときは、ゼロクロス信号５２がＬｏｗレベルからＨｉｇｈレベルに変化したらすぐに、ヒーター制御信号５３をＬｏｗレベルからＨｉｇｈレベルに変化させる。
【００３８】
ヒーターに流す電流を少なくする時には、商用電源Ｐの半波周期の時間に近いタイミングでヒーター制御信号５３をＬｏｗレベルからＨｉｇｈレベルに変化させる。ゼロクロス信号５２は、次のゼロクロスのタイミングでＨｉｇｈレベルからＬｏｗレベルに変化する。
【００３９】
ＣＰＵ１０５ａの入力ポートは、ヒーター制御信号５３のＬｏｗレベルからＨｉｇｈレベルへの変化に応じて制御プログラムに割り込みをかけるため、このタイミングをＣＰＵ１０５ａの制御プログラムが認識することができない。このため、先のゼロクロス信号５２のＬｏｗレベルからＨｉｇｈレベルへ変化したタイミングからタイマーを働かせて、ヒーター制御信号５３をＬｏｗレベルからＨｉｇｈレベルにしてヒーターに流す電流を制御する。
【００４０】
図６は商用電源Ｐの電圧波形５１、ゼロクロス信号５２、ヒーター制御信号５３、ヒーターの電流波形５４、ＤＣ電源電圧５５のタイミングを示す図である。
【００４１】
図７は、電源ＯＦＦシーケンスを示す流れ図である。この図の流れに沿って本参考例である電源ＯＦＦ検知シーケンスを説明する。ゼロクロス信号５２の状態を検知する。このゼロクロス信号５２の状態がＨｉｇｈレベルで有れば、Ｌｏｗレベルになるまでループしてゼロクロス信号５２の状態変化を待つ（ステップＳＴ２１）。ゼロクロス信号５２が、ＬｏｗレベルになったらＨｉｇｈレベルになるエッジを検出する為に、ゼロクロス信号５２がＨｉｇｈレベルになるまで状態変化を待つ（ステップＳＴ２２）。
【００４２】
ゼロクロス信号５２がＨｉｇｈレベルになったら、商用電源Ｐの電圧と周波数とゼロクロス検出電圧レベルよりあらかじめ決められたゼロクロス信号５２のＨｉｇｈ時間を読みだし（ステップＳＴ２３）、タイマーをスタートする（ステップＳＴ２４）。ゼロクロス信号５２の状態がＨｉｇｈレベルかを判断し（ステップＳＴ２５）、Ｈｉｇｈレベルで有れば、タイマーの値とゼロクロス信号５２のＨｉｇｈ時間を比較する（ステップＳＴ２６）。ゼロクロス信号５２がＬｏｗレベルの時は、電源スイッチ１が切断されたと判断してパワーオフ処理を行う（ステップＳＴ２７）。その後ＥＥＰＲＯＭ１５ｄにエンジン情報を書きこみ、動作を終了する（ステップＳＴ２８）。これは、図6のタイミング図で示されている処理シーケンスになる。
【００４３】
上記ステップＳＴ６でタイマーの値とゼロクロス信号５２のＨｉｇｈ時間を比較し、タイマーの値がゼロクロス信号５２のＨｉｇｈ時間以下の時は、ゼロクロス信号５２の状態を判断し処理を繰り返す。タイマーの値がゼロクロス信号５２のＨｉｇｈを越えたらゼロクロス信号５２は、Ｌｏｗレベルになったと判断し、ゼロクロス信号Ｌｏｗ時間を読み出し（ステップＳＴ２９）、タイマーをスタートさせる（ステップＳＴ３０）。
【００４４】
タイマー値とゼロクロス信号５２のＬｏｗ時間を比較し（ステップＳＴ３１）、タイマー値がゼロクロス信号５２のＬｏｗ時間を越えたら、ゼロクロス信号５２の状態がＬｏｗレベルかを判断し（ステップＳＴ３１）、Ｌｏｗレベルであれば電源スイッチ１が切断したと判断し、パワーオフ処理を行い（ステップＳＴ２７）、ＥＥＰＲＯＭ１０５ｄにエンジン情報を書き込む（ステップＳＴ２８）。電源スイッチ１が切断したときのゼロクロス信号５２のパワーオフのタイミングは図８の状態になる。
【００４５】
上記ステップＳＴ３１の判断結果がＨｉｇｈレベルであれば、電源スイッチ１は切断されていないと判断し、ゼロクロス信号５２のＨｉｇｈ時間を読み出し（ステップＳＴ２３）、タイマーをスタートさせて一連の判断を行い処理を繰り返す。
【００４６】
【発明の効果】
以上説明したように、本発明によれば、ヒーターの通電制御の基準となるゼロクロス信号の状態を判断して、電源スイッチが切断されたことを検知することができるため、電源スイッチに連動した検知機構（リレー回路）を設けることなく、簡単な回路構成により、電源スイッチの切断時における装置の状態格納が確実にでき、再起動後に保存状態を読み出して画像形成に最適な処理を施すことを精度よく行うことができる。
【００４８】
また本発明によれば、ゼロクロス検知回路は商用電源の電圧におけるゼロクロス電圧付近でパルス信号を発生することによってゼロクロス信号を得るので、電源スイッチを切断するとすぐに変化するゼロクロス信号を精度良く得ることができる。
【００４９】
また本発明によれば、ゼロクロス検知回路は商用電源から出力されるサイン波の電圧の半波に同期してパルス信号を発生することによってゼロクロス信号を得るので、電源スイッチを切断するとすぐに変化するゼロクロス信号を精度良く得ることができる。
【００５０】
また本発明によれば、電源ユニットはコンデンサの充電電荷を記憶媒体に対する情報書き込みのための電源とするため、電源スイッチが切断してからすぐにゼロクロス信号がＬｏｗレベルになっても電源スイッチの出力が０Ｖになるまでに記憶媒体の書き込みに十分な時間が得られ、装置の状態格納を確実に行うことができる。
【図面の簡単な説明】
【図１】実施例の画像形成装置の商用電源の電圧波形、ゼロクロス信号、ヒーター制御信号、ヒーターの電流波形、ＤＣ電源電圧波形の関係を表わす図である。
【図２】実施例の画像形成装置の商用電源、電源スイッチ、ノイズフィルタ、低電圧電源ユニット、フューザ制御回路、ヒーター、ゼロクロス検知回路、ＣＰＵ、不揮発記憶媒体の接続関係を示した回路図である。
【図３】実施例の画像形成装置の電源ＯＦＦシーケンスを示す流れ図である。
【図４】実施例の画像形成装置の電源スイッチ切断時のゼロクス信号を示すタイミング図である。
【図５】参考例の画像形成装置の商用電源の電圧波形、ゼロクロス信号、ヒーター制御信号、ヒーターの電流波形の関係を表わす図である。
【図６】参考例の画像形成装置の商用電源の電圧波形、ゼロクロス信号、ヒーター制御信号、ヒーターの電流波形、ＤＣ電源電圧のタイミングを示す図である。
【図７】参考例の画像形成装置の電源ＯＦＦシーケンスを示す流れ図である。
【図８】参考例の画像形成装置の電源スイッチ切断時のゼロクス信号を示すタイミング図である。
【図９】  従来の画像形成装置の構成模式図である。
【図１０】  従来の画像形成装置の電気回路のブロック図である。
【図１１】  従来の画像形成装置の定着器の制御部の回路図である。
【図１２】  従来の画像形成装置の商用電源の電圧波形、ゼロクロス信号、ヒーター制御信号、ヒーターの電流波形の関係を表わす図である。
【符号の説明】
１  電源スイッチ（ＳＷ）
３  フューザー制御回路
４  低電圧電源ユニット
２３  ゼロクロス検知回路
１０３ｆ  不揮発性記憶媒体（ＥＥＰＲＯＭ）
１０５ａ  ＣＰＵ（判断手段および書き込み手段）
【図１】
0004630495.tif 000002
【図２】
0004630495.tif 000003
【図３】
0004630495.tif 000004
【図４】
0004630495.tif 000005
【図５】
0004630495.tif 000006
【図６】
0004630495.tif 000007
【図７】
0004630495.tif 000008
【図８】
0004630495.tif 000009
【図９】
0004630495.tif 000010
【図１０】
0004630495.tif 000011
【図１１】
0004630495.tif 000012
【図１２】
0004630495.tif 000013